(57)【特許請求の範囲】
【請求項１】
変圧器の給電回路に接続された遮断器の開極時刻を検出する開極検出手段と、上記給電回路の電圧信号を所定時間分記憶するようにされ、上記遮断器の開極前後における上記給電回路の電圧信号を計測し得るようにされた電圧信号計測手段と、上記遮断器の開極前における上記電圧信号のオフセット量を算出し、上記電圧信号からオフセットを除去する電圧信号オフセット除去手段と、上記遮断器の開極後における電圧信号の過渡振動が所定値以下に減衰した時点を積分の終了時とする電圧信号積分区間検出手段と、上記電圧信号を積分する電圧信号積分手段と、電圧積分信号の上記遮断器の開極前におけるオフセットを除去して磁束信号を得る磁束信号算出手段と、上記磁束信号から残留磁束値を算出する残留磁束算出手段とを備えた変圧器の残留磁束測定装置。
【請求項２】
上記電圧信号積分区間検出手段は、上記遮断器の開極後におけるオフセット除去後電圧信号のゼロクロス点間のピーク点の絶対値にもとづいて近似関数を求め、この近似関数により算出される値が所定値以下になった時、電圧信号の積分を終了させるようにしたことを特徴とする請求項１記載の変圧器の残留磁束測定装置。
【請求項３】
上記電圧信号積分区間検出手段は、上記遮断器の開極後におけるオフセット除去後電圧信号のゼロクロス点間の平均波高値の絶対値にもとづいて近似関数を求め、この近似関数により算出される値が所定値以下になった時、電圧信号の積分を終了させるようにしたことを特徴とする請求項１記載の変圧器の残留磁束測定装置。
【請求項４】
変圧器の給電回路に接続された遮断器の開極時刻を検出する開極検出手段と、上記給電回路の電圧信号を所定時間分記憶するようにされ、上記遮断器の開極前後における上記給電回路の電圧信号を計測し得るようにされた電圧信号計測手段と、上記変圧器の変圧器電流信号を所定時間分記憶するようにされ、上記遮断器の開極前後における変圧器電流信号を計測し得るようにされた変圧器電流信号計測手段と、上記遮断器の開極前における上記電圧信号のオフセット量を算出し、上記電圧信号からオフセットを除去する電圧信号オフセット除去手段と、上記遮断器の開極後における変圧器電流信号の過渡振動が所定値以下に減衰した時点を積分の終了時とする電圧信号積分区間検出手段と、上記電圧信号を積分する電圧信号積分手段と、電圧積分信号の上記遮断器の開極前におけるオフセットを除去して磁束信号を得る磁束信号算出手段と、上記磁束信号から残留磁束値を算出する残留磁束算出手段とを備えた変圧器の残留磁束測定装置。
【請求項５】
上記電圧信号積分区間検出手段は、上記遮断器の開極後における変圧器電流信号のゼロクロス点間のピーク点の絶対値にもとづいて近似関数を求め、この近似関数により算出される値が所定値以下になった時、電圧信号の積分を終了させるようにしたことを特徴とする請求項４記載の変圧器の残留磁束測定装置。
【請求項６】
上記電圧信号積分区間検出手段は、上記遮断器の開極後における変圧器電流信号のゼロクロス点間の平均波高値の絶対値にもとづいて近似関数を求め、この近似関数により算出される値が所定値以下になった時、電圧信号の積分を終了させるようにしたことを特徴とする請求項４記載の変圧器の残留磁束測定装置。
【請求項７】
上記電圧信号オフセット除去手段は、上記遮断器の開極前における電圧信号の中心値をオフセット量として算出し、電圧積分前に電圧信号からオフセットを除去するようにしたことを特徴とする請求項１〜請求項６のいずれか１項記載の変圧器の残留磁束測定装置。
【請求項８】
上記開極検出手段は、上記遮断器の開極時間をあらかじめ求めて記憶すると共に、上記遮断器の開極指令時に、その時点から記憶された開極時間が経過した時刻を開極時刻とするようにしたことを特徴とする請求項１〜請求項７のいずれか１項記載の変圧器の残留磁束測定装置。
【発明の詳細な説明】
【０００１】
【発明の属する技術分野】
この発明は、変圧器の残留磁束測定装置に関するものである。
【０００２】
【従来の技術】
図５は、例えば特開２０００−２７５３１１号公報に記載された従来の残留磁束測定手法を説明するための説明図で、十分な時間、変圧器を励磁した状態で変圧器への給電を遮断した時に生ずる誘起電圧の変化を測定すると共に、その電圧波形を計算機に取り込んで積分演算することによって求められた磁束波形を示すものである。残留磁束Φ1は、図５に示す磁束波形の最終値Φ2と、給電を遮断する前の正弦波振動の中心、即ち、磁束波形の（最大値＋最小値）／２で求められるレベルＣとの差をとる形で求めていた。
【０００３】
【発明が解決しようとする課題】
従来の残留磁束測定は以上のように行なわれていたため、次のような問題点があった。即ち、測定系に重畳するＤＣオフセット成分の影響により、電圧積分演算して得られる磁束波形の最終値は一定ではなく、単調増加または単調減少し、あるいは時定数の大きいドリフトが発生することもある。図５に示す磁束波形でも最終値が単調増加している。従って、読み取る時刻によってΦ2が異なることになり、正確な残留磁束Φ1を算出することができないという問題点があった。また、変圧器のインピーダンスと周辺回路の浮遊静電容量の値に依存して、変圧器への給電を遮断してから磁束波形が最終値に収束するまでの過渡振動の減衰時間が変化するという問題点がある。この場合、給電を遮断してから一定時間後の値を残留磁束として読み取るように構成することもできるが、変圧器のインピーダンスと周辺回路の浮遊静電容量の値によっては磁束波形の過渡振動が収束していないことがあり、その場合には正確な残留磁束を算出することができないという問題点があった。
【０００４】
また、変圧器のインピーダンスと周辺回路の浮遊静電容量が異なる装置毎に、給電を遮断してから磁束波形の過渡振動が収束するまでの減衰時間をあらかじめ計測しておき、減衰時間経過後に最終値を読み取るようにすることもできるが、この場合には現地測定を必要とするため読み取り時刻の設定が煩雑になるという問題点があった。
なお、上述したＤＣオフセットを除去するために、電圧信号にハイパスフィルタを適用する方策もあるが、給電遮断後の電圧信号は矩形波状の減衰振動波形であるため、フィルタを適用することによって波形に大きな歪みが生じ、結果として電圧積分演算で得られる残留磁束の誤差が増大するという問題点があった。
この発明は、上述した各問題点に対処するためになされたもので、残留磁束を正確に読み取ることができる変圧器の残留磁束測定装置を提供することを目的とする。
【０００５】
【課題を解決するための手段】
この発明に係る変圧器の残留磁束測定装置は、変圧器の給電回路に接続された遮断器の開極時刻を検出する開極検出手段と、上記給電回路の電圧信号を所定時間分記憶するようにされ、上記遮断器の開極前後における上記給電回路の電圧信号を計測し得るようにされた電圧信号計測手段と、上記遮断器の開極前における上記電圧信号のオフセット量を算出し、上記電圧信号からオフセットを除去する電圧信号オフセット除去手段と、上記遮断器の開極後における電圧信号の過渡振動が所定値以下に減衰した時点を積分の終了時とする電圧信号積分区間検出手段と、上記電圧信号を積分する電圧信号積分手段と、電圧積分信号の上記遮断器の開極前におけるオフセットを除去して磁束信号を得る磁束信号算出手段と、上記磁束信号から残留磁束値を算出する残留磁束算出手段とを備えたものである。
【０００６】
この発明に係る変圧器の残留磁束測定装置は、また、上記遮断器の開極後におけるオフセット除去後電圧信号のゼロクロス点間のピーク点の絶対値にもとづいて近似関数を求め、この近似関数により算出される値が所定値以下になった時、上記電圧信号積分区間検出手段によって電圧信号の積分を終了させるようにしたものである。
【０００７】
この発明に係る変圧器の残留磁束測定装置は、また、上記遮断器の開極後におけるオフセット除去後電圧信号のゼロクロス点間の平均波高値の絶対値にもとづいて近似関数を求め、この近似関数により算出される値が所定値以下になった時、上記電圧信号積分区間検出手段によって電圧信号の積分を終了させるようにしたものである。
【０００８】
この発明に係る変圧器の残留磁束測定装置は、また、変圧器の給電回路に接続された遮断器の開極時刻を検出する開極検出手段と、上記給電回路の電圧信号を所定時間分記憶するようにされ、上記遮断器の開極前後における上記給電回路の電圧信号を計測し得るようにされた電圧信号計測手段と、上記変圧器の変圧器電流信号を所定時間分記憶するようにされ、上記遮断器の開極前後における変圧器電流信号を計測し得るようにされた変圧器電流信号計測手段と、上記遮断器の開極前における上記電圧信号のオフセット量を算出し、上記電圧信号からオフセットを除去する電圧信号オフセット除去手段と、上記遮断器の開極後における変圧器電流信号の過渡振動が所定値以下に減衰した時点を積分の終了時とする電圧信号積分区間検出手段と、上記電圧信号を積分する電圧信号積分手段と、電圧積分信号の上記遮断器の開極前におけるオフセットを除去して磁束信号を得る磁束信号算出手段と、上記磁束信号から残留磁束値を算出する残留磁束算出手段とを備えたものである。
【０００９】
この発明に係る変圧器の残留磁束測定装置は、また、上記遮断器の開極後における変圧器電流信号のゼロクロス点間のピーク点の絶対値にもとづいて近似関数を求め、この近似関数により算出される値が所定値以下になった時、上記電圧信号積分区間検出手段によって電圧信号の積分を終了させるようにしたものである。
【００１０】
この発明に係る変圧器の残留磁束測定装置は、また、上記遮断器の開極後における変圧器電流信号のゼロクロス点間の平均波高値の絶対値にもとづいて近似関数を求め、この近似関数により算出される値が所定値以下になった時、上記電圧信号積分区間検出手段によって電圧信号の積分を終了させるようにしたものである。
【００１１】
この発明に係る変圧器の残留磁束測定装置は、また、上記電圧信号オフセット除去手段によって、上記遮断器の開極前における電圧信号の中心値をオフセット量として算出し、このオフセット量を電圧積分前に電圧信号から除去するようにしたものである。
【００１２】
この発明に係る変圧器の残留磁束測定装置は、また、上記開極検出手段が、上記遮断器の開極時間をあらかじめ求めて記憶すると共に、上記遮断器の開極指令時に、その時点から記憶された開極時間が経過した時刻を開極時刻とするようにしたものである。
【００１３】
【発明の実施の形態】
実施の形態１．
以下、この発明の実施の形態１を図にもとづいて説明する。図１は、実施の形態１の構成を示す回路図、図２は、実施の形態１の各部における信号波形を示す波形図である。図１において、１は電源、２は上記電源に接続された変圧器、３は電源１と変圧器２間に接続され、変圧器への給電を制御する遮断器、４は遮断器３の開極を検出する開極検出手段で、遮断器３の接点開閉位置に連動した接点信号５にもとづいて開極を検出し、開極信号６と開極時刻信号７を発するようにされている。８は変圧器２の一次側に接続された計器用変圧器、９は計器用変圧器８の二次側に接続された電圧信号計測手段で、計器用変圧器８により得られた電圧を常に一定時間間隔でＡ／Ｄ変換し、現在時刻から一定時間分、例えば２００ｍsec 前までの電圧信号をデジタルデータとして記憶するようにされている。そして、開極信号６が入力されると、一定時間経過後、例えば１００ｍsec 後に電圧信号の記憶を停止することにより、遮断器３の開極前後の電圧信号１０を出力するようにしている。この例では、開極時刻前１００ｍsec、開極時刻後１００ｍsecのデジタルデータが得られる。なお、電圧信号計測手段９は、開極前後の電圧信号が得られるものであれば、他の構成であってもよい。
【００１４】
１１は開極時刻以前の電圧信号１０から電圧信号のオフセット量を算出し、電圧信号１０からオフセットを除去する電圧信号オフセット除去手段で、開極時刻信号７にもとづいて開極以前の電圧信号１０における信号の中心値、即ち図２（ａ）におけるオフセット量１０１を（最大値＋最小値）／２として算出し、電圧信号１０全体からオフセット量１０１を差し引くと共に、オフセット除去後電圧信号１２を出力する。１３は開極時刻信号７にもとづいて、開極時刻以後のオフセット除去後電圧信号１２から積分区間終了時刻を検出する電圧信号積分区間検出手段で、次のように構成されている。即ち、図２（ｂ）に示すように、オフセット除去後電圧信号１２について、開極時刻以後のゼロクロス点とゼロクロス点との間のピーク点を順次取り出して近似関数を作成する。
【００１５】
開極時刻以後のゼロクロス点は、図２（ｂ）に示すように、順に１０２、１０３、１０４であり、ゼロクロス点１０２と１０３の間に存在するピーク点は１０５、また、ゼロクロス点１０３と１０４の間に存在するピーク点は１０６である。このように順次ピーク点を取り出してそれぞれの絶対値を取ったものが図２（ｂ）の下側に示すピーク点群１０７である。一般的にピーク点群１０７は開極時刻から時間が経過するにつれて値が小さくなる性質がある。これは、変圧器と遮断器の間に存在する機器が並列キャパシタンス成分を持っているためで、遮断時点で並列キャパシタンス成分にエネルギーを持ち、遮断後に変圧器のリアクタンス成分との間でエネルギー共振を発生する。この際、変圧器のヒステリシス損によりエネルギー損失が発生するため、計測される電圧は減衰振動波形となる。
このため、そのピーク電圧のみを取り出すと、一様に減衰していくことになる。
【００１６】
次に、得られたピーク点群１０７を減衰関数で最小自乗近似する。例えば、ピーク点群１０７を、電圧値＝Ｋ×exp(−α×時間)で最小自乗近似してＫ、αを求め、近似関数１０８を作成する。近似関数１０８の値があらかじめ設定していた閾値１０９以下となる時刻を算出し、その時刻を積分区間終了時刻とし、積分区間終了時刻信号１４を出力する。なお、閾値１０９以下となる時刻から、あらかじめ設定しておいた時間だけ後の時刻を積分区間終了時刻としてもよい。
また、簡便な方法として、ピーク点群１０７について、前から順に値の大きさを調べていき、あらかじめ設定していた閾値１０９以下となる点を見つけ、その点の時刻からあらかじめ設定しておいた時間だけ後の時刻を積分区間終了時刻としてもよい。１５は電圧信号積分手段で、オフセット除去後電圧信号１２をデータ先頭から積分区間終了時刻信号１４による積分区間終了時刻まで積分し、電圧積分信号１６を出力する。積分方法は一般的に使用されているものを使用する。
【００１７】
１７は開極時刻以前の電圧積分信号１６から電圧積分信号のオフセット量を算出し、電圧積分信号１６からオフセットを除去して磁束信号１８を出力する磁束信号算出手段で、次のように構成されている。即ち、開極時刻信号７にもとづいて開極以前の電圧積分信号１６における信号の中心値、即ち、図２（ｃ）におけるオフセット量１０９を（最大値＋最小値）／２として算出し、電圧積分信号１６全体からオフセット量１０９を差し引き、磁束信号１８を出力する。
この場合、積分値を係数変換せずに磁束信号としているが、磁束信号１８の値をデータのサンプリング周波数で割ることによって正規化してもよい。
また、あらかじめ変圧器定格運転時における磁束信号１８の最大振幅Ａを算出しておき、測定時に得られた磁束信号１８の値を最大振幅Ａで割ることによって正規化してもよい。１９は残留磁束算出手段で、図２（ｄ）に示すように、積分区間終了時刻信号１４にもとづいて積分区間終了時刻における磁束信号１８の値を読み取り、この値を残留磁束２０として出力する。
【００１８】
この実施の形態は以上のように、開極後の電圧信号の過渡振幅が所定値以下に減衰した時刻における電圧積分値を読み取って残留磁束としたので、常に最適な読み取り時刻において電圧積分値を得ることができ、結果として正確に残留磁束を測定することができる。
また、開極前の電圧信号の中心値を算出し、電圧積分前に電圧信号のＤＣオフセットを除去するようにしたので、電圧信号に重畳するＤＣオフセット成分の影響により発生する電圧積分信号の単調増加または単調減少がなくなり、電圧積分値が一定値に収束するようになる結果、正確に残留磁束を測定することができる。
なお、以上の説明は、電源１、遮断器３及び変圧器２が単相であることを前提としたが、三相の場合には、上述した構成を各相毎に備えることにより実施できることは云うまでもない。
【００１９】
実施の形態２．
次に、この発明の実施の形態２について説明する。この実施の形態は、図１に示す実施の形態１における開極検出手段４の構成を以下に述べるような形に変更した点が異なるのみで、その他の構成は図１と同様であるため、図示を省略する。即ち、実施の形態２における開極検出手段４は、遮断器３の開極に要する時間をあらかじめ求めて記憶させておき、遮断器３に対する開極指令が与えられた時、その時点から記憶された開極所要時間が経過した時刻を開極時刻として開極信号６及び開極時刻信号７を出力するようにしたもので、実施の形態１と同様な効果を期待することができる。
【００２０】
実施の形態３．
次に、この発明の実施の形態３について説明する。この実施の形態は、図１に示す実施の形態１における電圧信号積分区間検出手段１３の構成を以下に述べるような形に変更した点が異なるのみで、その他の構成は図１と同様であるため、図示を省略する。即ち、実施の形態３における電圧信号積分区間検出手段１３は、オフセット除去後電圧信号１２について、開極時刻以後のゼロクロス点とゼロクロス点の間の平均波高値を順次取り出すようにしたものである。
図２（ｂ）を用いて説明すると、開極時刻以後のゼロクロス点は順に１０２、１０３、１０４であり、先ず、ゼロクロス点１０２と１０３との間に存在するデータの平均値Ａを算出する。次に、ゼロクロス点１０３と１０４との間に存在するデータの平均値Ｂを算出し、以下同様に各ゼロクロス点間の平均値Ｃ、Ｄ…を順次算出する。このようにして算出された平均値Ａ、Ｂ、Ｃ、Ｄ…の絶対値を取ったものは、ピーク点群１０７と同様に、開極時刻から時間が経過するにつれて値が小さくなる性質があるため、これらの値を実施の形態１における電圧信号積分区間検出手段１３と同様に処理することによって実施の形態１と同様な効果を期待することができる。
【００２１】
実施の形態４．
次に、この発明の実施の形態４について図３を用いて説明する。この実施の形態は、実施の形態１に加えて、変圧器電流信号計測手段２０２を追加し、電圧信号積分区間検出手段１３の構成を以下に述べる形に変更した点が異なるのみで、その他の構成は実施の形態１と同様であるため、変更部分のみ説明する。
２０１は変圧器２近傍の一次側に接続された計器用変流器、２０２は計器用変流器２０１に接続された変圧器電流信号計測手段で、計器用変流器２０１により得られた電流を一定時間間隔でＡ／Ｄ変換し、現在時刻から一定時間分、例えば２００ｍsec前までの変圧器電流信号をデジタルデータとして記憶するようにされている。そして、開極信号６が入力されると、一定時間経過後、例えば１００ｍsec後に変圧器電流信号の記憶を停止することにより、遮断器３の開極前後の変圧器電流信号２０３を出力するようにしている。この例では、開極時刻前１００ｍsec、開極時刻後１００ｍsecのデジタルデータが得られる。なお、変圧器電流信号計測手段２０２は、開極前後の変圧器電流信号が得られるものであれば、他の構成であってもよい。
【００２２】
２０４は開極時刻信号７にもとづいて、開極時刻以後の変圧器電流信号２０３から積分区間終了時刻を検出する電圧信号積分区間検出手段で、次のように構成されている。即ち、図４（ｅ）に示すように、変圧器電流信号２０３について、開極時刻以後のゼロクロス点とゼロクロス点の間のピーク点を順次取り出して近似関数を作成する。開極時刻以後のゼロクロス点は、図４（ｅ）に示すように、順に３０２、３０３、３０４であり、ゼロクロス点３０２と３０３の間に存在するピーク点は３０５、また、ゼロクロス点３０３と３０４の間に存在するピーク点は３０６である。このように順次ピーク点を取り出してそれぞれの絶対値をとったものが図４（ｅ）の下側に示すピーク点群３０７である。このようにして得られたピーク点群３０７は、ピーク点群１０７と同様に、開極時刻から時間が経過するにつれて値が小さくなる性質があるため、これらの値を実施の形態１における電圧信号積分区間検出手段１３と同様に処理することによって実施の形態１と同様な効果を期待することができる。
【００２３】
実施の形態５．
次に、この発明の実施の形態５について説明する。この実施の形態は、図３に示す実施の形態４における電圧信号積分区間検出手段２０４の構成を以下に述べるような形に変更した点が異なるのみで、その他の構成は図３と同様であるため図示を省略する。即ち、実施の形態５における電圧信号積分区間検出手段２０４は、変圧器電流信号２０３について、開極時刻以後のゼロクロス点とゼロクロス点の間の平均波高値を順次取り出すようにしたものである。
図４（ｅ）を用いて説明すると、開極時刻以後のゼロクロス点は、順に３０２、３０３、３０４であり、先ずゼロクロス点３０２と３０３との間に存在するデータの平均値Ａを算出する。次に、ゼロクロス点３０３と３０４の間に存在するデータの平均値Ｂを算出し、以下同様に各ゼロクロス点間の平均値Ｃ、Ｄ…を順次算出する。このようにして算出された平均値Ａ、Ｂ、Ｃ、Ｄ…の絶対値を取ったものは、ピーク点群３０７と同様に、開極時刻から時間が経過するにつれて値が小さくなる性質があるため、これらの値を実施の形態４における電圧信号積分区間検出手段２０４と同様に処理することによって実施の形態４と同様な効果を期待することができる。
【００２４】
【発明の効果】
この発明に係る変圧器の残留磁束測定装置は、変圧器の給電回路に接続された遮断器の開極時刻を検出する開極検出手段と、上記給電回路の電圧信号を所定時間分記憶するようにされ、上記遮断器の開極前後における上記給電回路の電圧信号を計測し得るようにされた電圧信号計測手段と、上記遮断器の開極前における上記電圧信号のオフセット量を算出し、上記電圧信号からオフセットを除去する電圧信号オフセット除去手段と、上記遮断器の開極後における電圧信号の過渡振動が所定値以下に減衰した時点を積分の終了時とする電圧信号積分区間検出手段と、上記電圧信号を積分する電圧信号積分手段と、電圧積分信号のオフセットを除去して磁束信号を得る磁束信号算出手段と、上記磁束信号から残留磁束値を算出する残留磁束算出手段とを備えたものであるため、常に最適な読み取り時刻において電圧積分値を得ることができると共に、電圧積分信号の単調増加または単調減少がなくなり、電圧積分値が一定値に収束するようになる結果、正確に残留磁束を測定することができる。
【００２５】
この発明に係る変圧器の残留磁束測定装置は、また、上記遮断器の開極後におけるオフセット除去後電圧信号のゼロクロス点間のピーク点の絶対値にもとづいて求めた近似関数により算出される値が所定値以下になった時、あるいはオフセット除去後電圧信号のゼロクロス点間の平均波高値の絶対値にもとづいて求めた近似関数により算出される値が所定値以下になった時、電圧信号の積分を終了させるようにしたため、常に最適な読み取り時刻において電圧積分値を得ることができ、結果として残留磁束を正確に測定することができる。
【００２６】
この発明に係る変圧器の残留磁束測定装置は、また、変圧器の給電回路に接続された遮断器の開極時刻を検出する開極検出手段と、上記給電回路の電圧信号を所定時間分記憶するようにされ、上記遮断器の開極前後における上記給電回路の電圧信号を計測し得るようにされた電圧信号計測手段と、上記変圧器の変圧器電流信号を所定時間分記憶するようにされ、上記遮断器の開極前後における変圧器電流信号を計測し得るようにされた変圧器電流信号計測手段と、上記遮断器の開極前における上記電圧信号のオフセット量を算出し、上記電圧信号からオフセットを除去する電圧信号オフセット除去手段と、上記遮断器の開極後における変圧器電流信号の過渡振動が所定値以下に減衰した時点を積分の終了時とする電圧信号積分区間検出手段と、上記電圧信号を積分する電圧信号積分手段と、電圧積分信号のオフセットを除去して磁束信号を得る磁束信号算出手段と、上記磁束信号から残留磁束値を算出する残留磁束算出手段とを備えたものであるため、常に最適な読み取り時刻において電圧積分値を得ることができると共に、電圧積分信号の単調増加または単調減少がなくなり、電圧積分値が一定値に収束するようになる結果、正確に残留磁束を測定することができる。
【００２７】
この発明に係る変圧器の残留磁束測定装置は、また、上記遮断器の開極後における変圧器電流信号のゼロクロス点間のピーク点の絶対値にもとづいて近似関数を求め、この近似関数により算出される値が所定値以下になった時、あるいは変圧器電流信号のゼロクロス点間の平均波高値の絶対値にもとづいて近似関数を求め、この近似関数により算出される値が所定値以下になった時、電圧信号の積分を終了させるようにしたため、常に最適な読み取り時刻において電圧積分値を得ることができ、結果として残留磁束を正確に測定することができる。
【００２８】
この発明に係る変圧器の残留磁束測定装置は、また、上記遮断器の開極前における電圧信号の中心値をオフセット量として算出し、電圧積分前に電圧信号からオフセットを除去するようにしたため、電圧積分信号の単調増加または単調減少がなくなり、電圧積分値が一定値に収束するようになる結果、正確に残留磁束を測定することができる。
【００２９】
この発明に係る変圧器の残留磁束測定装置は、また、上記開極検出手段が、上記遮断器の開極時間をあらかじめ求めて記憶すると共に、上記遮断器の開極指令時に、その時点から記憶された開極時間が経過した時刻を開極時刻とするようにしたため、結果として残留磁束を正確に測定することができる。
【図面の簡単な説明】
【図１】  この発明の実施の形態１の構成を示す回路図である。
【図２】  実施の形態１の各部における信号波形を示す波形図である。
【図３】  この発明の実施の形態４の構成を示す回路図である。
【図４】  実施の形態４の各部における信号波形を示す波形図である。
【図５】  従来の残留磁束測定手法を説明するための磁束波形を示すものである。
【符号の説明】
２  変圧器、      ３  遮断器、      ４  開極検出手段、
９  電圧信号計測手段、      １１  電圧信号オフセット除去手段、
１３、２０４  電圧信号積分区間検出手段、      １５  電圧信号積分手段、
１７  磁束信号算出手段、      １９  残留磁束算出手段、
２０２  変圧器電流信号計測手段。
【図１】
0003842140.tif 000002
【図２】
0003842140.tif 000003
【図３】
0003842140.tif 000004
【図４】
0003842140.tif 000005
【図５】
0003842140.tif 000006